(57)【要約】  本発明は、基部（２）と、添加剤貯蔵器（４）に接続され、動作時に、髪の毛に添加剤を塗布するための少なくとも１つの流出口（５）を有するアプリケータ素子（３）と、流出口の近くに端面（７）を有し、動作時に、髪の毛を分ける髪の毛分離素子（６）と、動作時に、装置が動かされる動作方向（８）を有する髪の毛に添加剤を塗布する装置（１）に関する。端面に隣接する髪の毛分離素子の少なくとも一部（９）は、動作方向に実質的に延在する先端（１１）を有する略ウェッジ形状の断面（１０）を有し、流出口は、動作方向に見たときに、先端の後方に設けられる。本発明による装置は、ユーザフレンドリーな方法での髪の毛の根元への添加剤の効果的な塗布を可能にする。
2005512777.tif 000002
【特許請求の範囲】
【請求項１】
基部と、
添加剤貯蔵器に接続され、動作時に、髪の毛に添加剤を塗布する少なくとも１つの流出口を有するアプリケータ素子と、
前記流出口の近くに端面を有し、動作時に、前記髪の毛を分ける髪の毛分離素子と、
動作時に、装置が動かされる動作方向と、
を有する、髪の毛に添加剤を塗布する装置であって、
前記端面に隣接する前記髪の毛分離素子の少なくとも一部は、前記動作方向に実質的に延在する先端を有する略ウェッジ形状の断面を有し、
前記流出口は、前記動作方向に見たときに、前記先端の後方に設けられることを特徴とする装置。
【請求項２】
前記端面に隣接する前記髪の毛分離素子の前記一部は、前記動作方向に見たときに、少なくとも前記流出口まで延在することを特徴とする請求項１記載の装置。
【請求項３】
前記端面に隣接する前記髪の毛分離素子の前記一部は、前記先端と前記流出口との間の中空空間を取り囲む壁を有することを特徴とする請求項１記載の装置。
【請求項４】
前記動作方向に見たときに、前記端面に隣接する前記髪の毛分離素子の前記一部の後方に、分散部材が設けられることを特徴とする請求項１記載の装置。
【請求項５】
前記分散部材は、複数のピンを有することを特徴とする請求項４記載の装置。
【請求項６】
複数のアプリケータ素子と複数の髪の毛分離素子が、前記基部上に所定の配置で設けられることを特徴とする請求項１記載の装置。
【請求項７】
前記端面は、曲面を有することを特徴とする請求項１記載の装置。
【請求項８】
電気ポンプ手段と、
電源手段と、
カラーリング添加剤を髪の毛に塗布する装置と、
を有し、
前記カラーリング添加剤を髪の毛に塗布する装置は、基部と、添加剤貯蔵器に接続され、動作時に、髪の毛に添加剤を塗布する少なくとも１つの流出口を有するアプリケータ素子と、前記流出口の近くに端面を有し、動作時に、前記髪の毛を分ける髪の毛分離素子と、動作時に、装置が動かされる動作方向を有する、髪の毛をカラーリングする電気装置であって、
前記カラーリング添加剤を髪の毛に塗布する装置は、請求項１乃至７のうちいずれか一項記載の装置であることを特徴とする電気装置。
【発明の詳細な説明】
【発明の詳細な説明】
【０００１】
本発明は、基部と、添加剤貯蔵器に接続され、動作時に髪の毛に添加剤を塗布する少なくとも１つの流出口を有するアプリケータ素子と、流出口近くに端面を有し、動作時に髪の毛を分ける髪の毛分離素子と、動作時に装置が動く動作方向とを有する、添加剤を髪の毛に塗布する装置に係る。
【０００２】
本発明は更に、電気ポンプ手段と、電源手段と、髪の毛にカラー添加剤を塗布する装置とを有する、髪の毛をカラーリングする電気装置に係る。塗布装置は、基部と、添加剤貯蔵器に接続され、動作時に髪の毛に添加剤を塗布する少なくとも１つの流出口を有するアプリケータ素子と、流出口近くに端面を有し、動作時に髪の毛を分ける髪の毛分離素子と、動作時に装置が動く動作方向とを有する。
【０００３】
冒頭段落に記載したような種類の装置は、米国特許第４，２１１，２４７号から公知である。この公知の装置は、髪の毛にヘアカラーリング添加剤を塗布する装置である。この公知の装置では、アプリケータ素子と髪の毛分離素子は、流出口を有し、球状の端面を有する１つの細長いピンを構成する。このピンは、添加剤貯蔵器に接続する運搬路を有し、この運搬路は、添加剤貯蔵器から流出口に添加剤を運搬し、また、この運搬路は、ピンの長手方向に延在する。動作時に、装置は、上述のピンによって、髪の毛を分け、且つ、添加剤貯蔵器から髪の毛に流出口を介して添加剤を塗布するために、動作方向にユーザによって動かされる。
【０００４】
この公知の装置の欠点は、ユーザが、この装置によって髪の毛の根元に添加剤を効果的に塗布することが厄介である点である。特に、ヘアカラーリングでは、満足のゆく全体的なカラーリング結果を得るには、ヘアカラー添加剤が根元に効果的に塗布されることが重要である。ユーザは、添加剤が髪の毛の根元に効果的に到達することを確実にするために、頭皮全体を円形マッサージ動作で公知の装置を動かさなければならない。このような装置の取扱い方法は、装置を自分の頭部上で動作させるユーザにとっては快適ではなく、更に、髪の毛がからむ可能性もある。
【０００５】
本発明は、ユーザフレンドリーな方法で、髪の毛の根元への添加剤の効果的な塗布を可能にする、髪の毛に添加剤を塗布する装置を提供することを目的とする。この目的を達成するために、本発明の髪の毛に添加剤を塗布する装置は、端面に隣接する髪の毛分離素子の少なくとも一部は、動作方向に実質的に延在する先端を有する略ウェッジ形状の断面を有し、流出口は、動作方向に見たときに、先端の後方に設けられることを特徴とする。装置が、動作方向に動かされると、端面に隣接する髪の毛分離素子の上述の一部は、頭皮に近い場所で髪の毛を分ける。このようにすると、髪の毛の根元が、髪の毛分離素子によって効果的に露出され、先端の後方に設けられる流出口から出てくる添加剤が、露出された髪の毛の根元に直接塗布されることが可能となる。このように、根元への添加剤の効果的な塗布が達成され、その上、ユーザは、装置と共に厄介な動きを行う必要なく快適な方法で装置を使用することができる。
【０００６】
本発明による添加剤を塗布する装置の１つの実施例は、端面に隣接する髪の毛分離素子の一部は、動作方向に見たときに、少なくとも流出口まで延在することを特徴とする。髪の毛分離素子の一部が、流出口まで延在するので、流出口から出てくる添加剤が、髪の毛分離素子によって露出される髪の毛の根元に直接的に塗布されることが確実にされる。
【０００７】
本発明による添加剤を塗布する装置の１つの実施例は、端面に隣接する髪の毛分離素子の一部は、先端と流出口との間の中空空間を取り囲む壁を有することを特徴とする。髪の毛が、髪の毛分離素子によって分けられ、根元が露出されると、この中空空間は、流出口から出てくる添加剤のガイドとして機能し、それにより、添加剤の根元への適切な塗布を確実にする。
【０００８】
本発明による添加剤を塗布する装置の１つの実施例は、動作方向に見たときに、端面に隣接する髪の毛分離素子の一部の後方に、分散部材が設けられることを特徴とする。流出口を介して添加剤が塗布された後、この分散部材が、添加剤を更に髪の毛に分散させる。
【０００９】
この分散部材は、複数のピンを有することが有利である。これらのピンは、添加剤が塗布された後に髪の毛を梳かし、それにより、添加剤を髪の毛に効果的に分散させる。
【００１０】
本発明による添加剤を塗布する装置の１つの実施例は、複数のアプリケータ素子と複数の髪の毛分離素子が、基部上に所定の配置で設けられることを特徴とする。このようにすると、添加剤は、一度にユーザの頭部の大きい領域に、効果的に且つ迅速に塗布されることが可能である。アプリケータ素子と髪の毛分離素子の配置は、例えば、装置を用いて塗布される添加剤の種類、又は、髪の毛の種類に応じて、特定の種類の装置に適合するよう設計され得る。
【００１１】
本発明による添加剤を塗布する装置の１つの好適な実施例は、端面が、曲面を有することを特徴とする。このようにすると、装置の使用時に、端面とユーザの頭皮との間に起きる任意の接触が、ユーザにとって可能な限り不快でないようにされる。
【００１２】
本発明によると、冒頭段落で記載したような髪の毛をカラーリングする電気装置は、髪の毛にカラーリング添加剤を塗布する装置は、本発明による装置であることを特徴とする。貯蔵器から流出口まで添加剤を運ぶための電気駆動される電気ポンプ手段による添加剤の均一な排出といった髪の毛をカラーリングする電気装置の利点は、本出願による装置により提供される根元への添加剤の効果的且つ容易な塗布の利点によって高められる。従って、本発明による髪の毛をカラーリングする電気装置は、ユーザフレンドリーな方法での髪の毛の効果的なカラーリングを提供する。
【００１３】
本発明を、図面を参照しながら、以下により詳細に説明する。
【００１４】
図１は、本発明による髪の毛をカラーリングするための電気装置３１を示す。この電気装置３１は、電気ポンプ手段３２と、電源手段３３と、本発明による髪の毛に添加剤を塗布する装置１の１つの実施例を有する。装置１は、基部２と、添加剤貯蔵器４に接続される複数のアプリケータ素子３を有する。各アプリケータ素子３は、動作時に、髪の毛に添加剤を塗布するための流出口５を有する。この実施例における電気ポンプ手段３２は、添加剤貯蔵器４から流出口５まで添加剤を押す電気駆動されるピストンを有する。このような電気ポンプ手段自体は知られているので、本願明細書にはこれ以上は説明せず、また、詳細に図示もしない。尚、他の周知の種類の電気ポンプ手段も、本発明による髪の毛をカラーリングするための電気装置３１に適用し得る。この実施例における電源手段３３は、電池を有するが、他の任意の種類の電源手段も有し得る。
【００１５】
装置１は更に、動作時に、髪の毛を分ける複数の髪の毛分離素子６を有し、それぞれ、流出口５の近くに端面７を有する。図１において、更に、図２ａにおいてより詳細に分かるように、端面７に隣接する髪の毛分離素子６の一部９は、実質的に動作方向８に延在する先端１１を有する略ウェッジ形状断面１０を有する。流出口５は、動作方向８に見たときに、先端１１の後方に設けられる。動作時に、装置１は、動作方向８に頭部上を動かされる。図２ａ及び図２ｂから分かるように、髪の毛５０は、ユーザの頭皮の近くで、ウェッジ形状部９によって効果的に分けられるので、髪の毛５０の根元５１が効果的に露出される。流出口５から排出される添加剤（図２ａ及び図２ｂには矢印によって示す）は、髪の毛５０の根元５１に直接届く。このようにして、添加剤は、髪の毛の根元に、効果的且つ迅速に塗布される。装置は、ユーザの自分の頭部に使う場合でも、ユーザによって快適な方法で取扱われることが可能である。何故なら、髪の毛の根元に添加剤を効果的に塗布するために更なる面倒な動作が必要ではないからである。
【００１６】
尚、髪の毛分離素子６は、少なくとも端面７に隣接する一部９が、実質的に動作方向に延在する先端１１を有する略ウェッジ形状断面を有する限り、様々な断面形状を有し得る。髪の毛分離素子６の残りの部分もウェッジ形状を有し得るが、円形断面といった異なる形状の断面も有してもよい。
【００１７】
更に、端面７に隣接する髪の毛分離素子６の一部は、動作方向８に見たときに、少なくとも流出口５まで延在する。この実施例では、この一部は、図２ａから分かるように、流出口５より更に遠くに延在する。このようにすると、頭部上を、装置１を動かす際に、髪の毛の特定の部分が、ウェッジ形状断面１０によって頭皮近くで分けられ、この髪の毛の一部分は、少なくともその一部分が流出口５によって到達されるまで分けられたままにされる。このことは、添加剤の髪の毛５０の根元５１への効果的な塗布を高める。
【００１８】
この実施例では、端面７に隣接する髪の毛分離素子６の一部９は更に、先端１１と流出口５との間で中空の空間１３を取り囲む壁１２も有する。髪の毛５０が分けられ、根元５１が、髪の毛分離素子６によって露出されると、添加剤が、流出口５から排出される。中空空間１３を取り囲む壁１２は、中空空間１３の下にある露出された根元に、流出口から排出された添加剤を案内し、動作時に、添加剤をできるだけ中空空間１３内に閉じ込める。このことは更に、露出された髪の毛の根元への添加剤の効果的な塗布を高める。
【００１９】
図１及び図２ａは、この実施例では、３つのピン２８を有する分散部材１８が、動作方向８に見たときに、端面７に隣接する各髪の毛分離素子６の一部９の後方に設けられる。添加剤が、流出口５を介して露出された髪の毛の根元に塗布されると、これらのピン２８は、添加剤を髪の毛の中に更に広げるよう髪の毛の更なるコーミングを与える。
【００２０】
複数のアプリケータ素子３と複数の髪の毛分離素子６が、基部２上に所定の配置で設けられることが好適である。アプリケータ素子及び髪の毛分離素子の基部上の配置は、特定の種類の装置に適合するよう装置の設計時に選択され得る。アプリケータ素子及び髪の毛分離素子の基部上の配置は、例えば、この装置によって塗布される添加剤の種類に依存して選択され得る。この実施例では、素子は線状に配置されるので、比較的大きな距離に亘って添加剤は塗布且つ分散される。しかし、当然ながら、円形配置といった他の配置も可能である。
【００２１】
図１及び図２ｂから分かるように、端面７は、曲面を有する。このようにすると、端面は、ユーザにとってより快適な方法で動作時にユーザの頭皮に接触する。
【００２２】
尚、本発明による装置の使用は、電気駆動される髪の毛に添加剤を塗布する装置における使用に限られない。本発明による装置は、例えば、手動駆動されるピストン構成又はスクイーズ可能なボトルといった手動駆動可能なポンプ手段を有する髪の毛に添加剤を塗布する装置にも有利に用い得る。
【００２３】
本発明による髪の毛に添加剤を塗布する装置は、カラーリング添加剤の効果的な塗布に特に適していることが観察されている。しかし、この装置は、例えば、ヘアローション、ヘアトニック、又はヘアコンディショナといった他の添加剤の効果的な塗布にも好適である。更に、本発明の装置は、固める効果を有する添加剤の髪の毛への塗布にも非常に好適である。一般的に、そのような添加剤は、良好なスタイリング効果を達成するよう髪の毛の根元にできるだけ効果的に塗布されるべきである。
【００２４】
添加剤貯蔵器は、使用後に空になると添加剤を再充填し得るか、又は、新しい貯蔵器によって交換されるよう装置内に着脱可能に取付けられ得る。
【図面の簡単な説明】
【００２５】
【図１】本発明による髪の毛に添加剤を塗布する装置の実施例を有する、本発明による髪の毛をカラーリングするための電気装置を示す斜視図である。
【図２ａ】動作時に髪の毛に添加剤を塗布するための図１に示す装置の詳細を示す図である。
【図２ｂ】動作時に髪の毛に添加剤を塗布するための図１に示す装置の細部を示す図である。
【図１】
2005512777.tif 000003
【図２ａ】
2005512777.tif 000004
【図２ｂ】
2005512777.tif 000005
【国際調査報告】
2005512777.tif 000006
2005512777.tif 000007